(57)【要約】【課題】  番組本編の間で放送されているユーザにとって不必要な部分を比較的高いエンコード率で記録し、番組本編を比較的低いエンコード率で記録されている記録媒体であれば、簡単にユーザにとって不必要な部分をカットして番組本編のみ別の記録媒体に記録することができる編集装置を提供する。【解決手段】  編集装置１は、カット機能が有効に設定されていれば、ＤＶＤ１０に記録されているエンコード率が予め定められた値よりも大きい動画像データについては自動的にＤＶＤ１１への記録を禁止し、エンコード率が予め定められた値よりも小さい動画像データのみをＤＶＤ１１に記録する。【選択図】  図１
2006135536.tif 000002
【特許請求の範囲】
【請求項１】
第１の記録媒体からエンコードされた動画像データを読み取る読取手段と、
前記読取手段が読み取った動画像データをデコードするデコード手段と、
前記デコード手段によりデコードされた動画像データに基づく再生信号を生成し、出力する再生手段と、
前記再生手段が再生中の動画像にかかる動画像データを第２の記録媒体に記録する記録手段と、を備えた編集装置において、
前記デコード手段がデコードする動画像データを一時的に保持するとともに、デコード時のワーキングエリアとして使用するメモリの使用量に基づいて再生中の動画像にかかる動画像データのエンコード率が予め定めたレベルよりも高いかどうかを判定する判定手段と、
前記判定手段が予め定めたレベルよりも高いエンコード率であると判定した動画像データを前記再生手段が再生している間、前記記録手段に対して前記第２の記録媒体への再生中の動画像にかかる動画像データの記録を禁止する記録禁止手段と、
前記判定手段が予め定めたレベルよりも高いエンコード率であると判定すると、前記再生手段に対して早送り再生の開始を指示し、その後、前記判定手段が予め定めたレベルよりも低いエンコード率であると判定すると、前記再生手段に対して早送り再生から通常再生に戻すことを指示するスキップ手段と、
前記記録手段を、有効にするか、無効にするかを切り替える切替手段と、を備え、
前記記録手段は、前記読取手段が第１の記録媒体から読み取った動画像データを前記第２の記録媒体に直接記録する手段である編集装置。
【請求項２】
第１の記録媒体からエンコードされた動画像データを読み取る読取手段と、
前記読取手段が読み取った動画像データをデコードするデコード手段と、
前記デコード手段によりデコードされた動画像データに基づく再生信号を生成し、出力する再生手段と、
前記再生手段が再生中の動画像にかかる動画像データを第２の記録媒体に記録する記録手段と、を備えた編集装置において、
前記デコード手段がデコードする動画像データを一時的に保持するとともに、デコード時のワーキングエリアとして使用するメモリの使用量に基づいて再生中の動画像にかかる動画像データのエンコード率が予め定めたレベルよりも高いかどうかを判定する判定手段と、
前記判定手段が予め定めたレベルよりも高いエンコード率であると判定した動画像データを前記再生手段が再生している間、前記記録手段に対して前記第２の記録媒体への再生中の動画像にかかる動画像データの記録を禁止する記録禁止手段と、を備えた編集装置。
【請求項３】
前記記録手段は、前記読取手段が第１の記録媒体から読み取った動画像データを前記第２の記録媒体に直接記録する手段である請求項２に記載の編集装置。
【請求項４】
前記記録手段を、有効にするか、無効にするかを切り替える切替手段を備えた請求項２または３に記載の編集装置。
【請求項５】
前記判定手段が予め定めたレベルよりも高いエンコード率であると判定すると、前記再生手段に対して早送り再生の開始を指示し、その後、前記判定手段が予め定めたレベルよりも低いエンコード率であると判定すると、前記再生手段に対して早送り再生から通常再生に戻すことを指示するスキップ手段を備えた請求項２〜４のいずれかに記載の編集装置。
【発明の詳細な説明】
【技術分野】
【０００１】
この発明は、光ディスク（ＣＤ、ＤＶＤ等）や、ハードディスク等の第１の記録媒体に記録されている動画像データを再生しているときに、この動画像データを第２の記録媒体に記録する編集装置に関する。
【背景技術】
【０００２】
従来、外部から入力されている映像を、光ディスク（ＣＤ、ＤＶＤ等）や、ハードディスク等の記録媒体に記録する記録装置が実用化され、一般に普及している。この種の記録装置は、入力された動画像にかかる動画像データをＭＰＥＧ方式等でエンコード（圧縮）し、エンコードした動画像データを記録媒体に記録している。エンコード率を高くすると、エンコードされた動画像データの容量が小さくなるので、記録媒体に記録できる記録時間については長くなるが、記録した動画像データを再生したときの再生画像の画質が低下する。
【０００３】
ところで、テレビ放送では、放送している番組本編の間でコマーシャルが放送されている。このため、テレビ放送の番組を記録媒体に記録する場合、番組本編だけでなく、この番組本編の間で放送されるコマーシャルや番組本編の解説等のユーザにとって不必要な部分についても記録媒体に記録することになる。番組を録画したユーザにとって、番組本編が再生して視聴する対象であり、番組本編の間で放送されるコマーシャルや番組本編の解説等のユーザにとって不必要な部分は視聴の対象ではない。したがって、番組本編の間で放送されるユーザにとって不必要な部分を、番組本編と同様に高画質（比較的低いエンコード率）で記録すると、記録媒体の記録容量を無駄に使用することになる。そこで、番組本編の間で放送されているユーザにとって不必要な部分については比較的高いエンコード率で記録し、番組本編については比較的低いエンコード率で記録することで、ユーザにとって視聴の対象でないユーザにとって不必要な部分にかかる動画像データの記録容量を抑え、記録媒体の記録容量が効率的に利用できる記録装置が提案されている（特許文献１参照）。
【０００４】
また、一方の記録媒体に記録されている動画像データを、他方の記録媒体に編集して記録することができる編集装置も実用化されている。この編集装置は、一方の記録媒体に対して記録されている動画像データを再生する構成と、他方の記録媒体に対して再生中の動画像にかかる動画像データを記録する構成と、を有している。
【特許文献１】特開２００４−１８６８４５号公報
【発明の開示】
【発明が解決しようとする課題】
【０００５】
しかしながら、記録媒体（一方の記録媒体）に記録されているテレビ放送の番組を、別の記録媒体（他方の記録媒体）に記録する編集を行う場合、多くのユーザは、記録媒体の記録容量を一層効率的に使用するために、ユーザにとって不必要な部分をカットし、視聴する対象の番組本編のみ他方の記録媒体に記録したいと考える。従来の編集装置では、ユーザにとって不必要な部分をカットして番組本編のみを他方の記録媒体に記録するには、一方の記録媒体に記録されている番組の再生を開始するとともに、他方の記録媒体に対する番組の記録を開始し、番組本編の間に存在するユーザにとって不必要な部分の開始位置で他方の記録媒体に対する記録を一時停止し、ユーザにとって不必要な部分が終了し、番組本編が再開される位置（再開位置）で他方の記録媒体に対する記録の一時停止を解除するという操作を、カットする部分（ユーザにとって不必要な部分）が存在する位置毎に繰り返し行わなければならない。このため、編集作業が煩雑で、手間がかかり使い勝手がよくないという問題があった。
【０００６】
なお、特許文献１の装置のように、番組本編の間で放送されているコマーシャルを比較的高いエンコード率で記録し、番組本編を比較的低いエンコード率で記録した記録媒体であっても、コマーシャルをカットして別の記録媒体に記録する編集では、上記の操作を行わなければならない。
【０００７】
この発明の目的は、番組本編の間で放送されているユーザにとって不必要な部分を比較的高いエンコード率で記録し、番組本編を比較的低いエンコード率で記録した記録媒体であれば、簡単にユーザにとって不必要な部分をカットして番組本編のみ別の記録媒体に記録することができる編集装置を提供することにある。
【課題を解決するための手段】
【０００８】
この発明の編集装置は、上記課題を解決するために以下の構成を備えている。
【０００９】
（１）第１の記録媒体からエンコードされた動画像データを読み取る読取手段と、
前記読取手段が読み取った動画像データをデコードするデコード手段と、
前記デコード手段によりデコードされた動画像データに基づく再生信号を生成し、出力する再生手段と、
前記再生手段が再生中の動画像にかかる動画像データを第２の記録媒体に記録する記録手段と、を備えた編集装置において、
前記デコード手段がデコードする動画像データを一時的に保持するとともに、デコード時のワーキングエリアとして使用するメモリの使用量に基づいて再生中の動画像にかかる動画像データのエンコード率が予め定めたレベルよりも高いかどうかを判定する判定手段と、
前記判定手段が予め定めたレベルよりも高いエンコード率であると判定した動画像データを前記再生手段が再生している間、前記記録手段に対して前記第２の記録媒体への再生中の動画像にかかる動画像データの記録を禁止する記録禁止手段と、を備えている。
【００１０】
この構成では、デコード手段において、読取手段がＣＤ、ＤＶＤ等の光ディスクやハードディスク等の第１の記録媒体から読み取った動画像データがデコードされる。再生手段が、デコードされた動画像データに基づく再生信号を生成し、出力する。また、記録手段が再生中の動画像にかかる動画像データを第２の記録媒体に記録する。判定手段は、デコードする動画像データを一時的に保持するとともに、デコード時のワーキングエリアとして使用するメモリの使用量に基づいて、再生中の動画像にかかる動画像データのエンコード率が予め定めたレベルよりも高いかどうかを判定する。禁止手段が、判定手段により予め定めたレベルよりも高いエンコード率であると判定された動画像データを再生している間、記録手段に対して再生中の動画像にかかる動画像データを第２の記録媒体に記録するのを禁止する。
【００１１】
したがって、予め定めたレベルよりも高いエンコード率で第１の記録媒体に記録されている動画像データについては、第２の記録媒体に記録されず、予め定めたレベルよりも高いエンコード率で第１の記録媒体に記録されている動画像データのみが第２の記録媒体に記録される。ユーザにとって不必要な部分（例えば、コマーシャルや番組本編の解説）に対するエンコード率を番組本編よりも大きくして、動画像データを記録媒体に記録することを、多くのユーザがすでに  一般的に行っている。また、ユーザにとって不必要な部分に対するエンコード率を番組本編よりも大きくして、動画像データを記録媒体に記録する装置についても、上述したようにすでに提案されている。
【００１２】
この発明では、ユーザにとって不必要な部分に対するエンコード率を番組本編よりも大きくし、予め定めたレベルよりも高いエンコード率で記録した記録媒体（第１の記録媒体）であれば、自動的にユーザにとって不必要な部分をカットし、番組本編のみ第２の記録媒体に記録することができる。これにより、一方の記録媒体からユーザにとって不必要な部分をカットし、番組本編のみ他方の記録媒体（第２の記録媒体）に記録する編集が簡単に行え、ユーザの使い勝手の向上が図れる。
【００１３】
なお、第１の記録媒体、第２の記録媒体は、光ディスク（ＣＤ、ＤＶＤ等）や、ハードディスク等、特にその種類は限定されない。また、第１の記録媒体と第２の記録媒体の種類は同じであってもよいし、異なっていてもよい。
【００１４】
（２）前記記録手段は、前記読取手段が第１の記録媒体から読み取った動画像データを前記第２の記録媒体に直接記録する手段である。
【００１５】
この構成では、第１の記録媒体から読み取った動画像データを前記第２の記録媒体に直接記録するので、前記第２の記録媒体に記録された動画像データにおける再生画像の画質を、この編集により低下させることがない。
【００１６】
（３）前記記録手段を、有効にするか、無効にするかを切り替える切替手段を備えている。
【００１７】
この構成では、禁止手段を有効にするか、無効にするかを切り替えることができるので、第１の記録媒体が予め定めたレベルよりも高いエンコード率で動画像を記録したものであっても、禁止手段を無効に設定することで、前記第２の記録媒体に記録することができる。
【００１８】
（４）前記判定手段が予め定めたレベルよりも高いエンコード率であると判定すると、前記再生手段に対して早送り再生の開始を指示し、その後、前記判定手段が予め定めたレベルよりも低いエンコード率であると判定すると、前記再生手段に対して早送り再生から通常再生に戻すことを指示するスキップ手段を備えている。
【００１９】
この構成では、予め定めたレベルよりも高いエンコード率で記録されているユーザにとって不必要な部分が自動的に早送り再生されるので、一方の記録媒体からユーザにとって不必要な部分をカットし、番組本編のみ他方の記録媒体に記録する編集に要する時間の短縮が図れる。
【発明の効果】
【００２０】
この発明によれば、第１の記録媒体に記録されている、予め定めたレベルよりも高いエンコード率で記録されている動画像データについては、第２の記録媒体に記録されず、予め定めたレベルよりも高いエンコード率で記録されている動画像データのみが第２の記録媒体に記録される。したがって、すでに一般的に行われている、ユーザにとって不必要な部分に対するエンコード率を番組本編よりも大きくし、予め定めたレベルよりも高いエンコード率で記録した記録媒体（第１の記録媒体）であれば、自動的にユーザにとって不必要な部分をカットし、番組本編のみ第２の記録媒体に記録することができる。これにより、一方の記録媒体からユーザにとって不必要な部分をカットし、番組本編のみ他方の記録媒体に記録する編集が簡単に行え、ユーザの使い勝手の向上が図れる。
【発明を実施するための最良の形態】
【００２１】
以下、この発明の実施形態である編集装置について説明する。
【００２２】
図１は、この発明の実施形態である編集装置の主要部の構成を示す図である。この実施形態の編集装置１は、本体にセットされている一方のＤＶＤ１０（この発明で言う第１の記録媒体）に記録されている動画像データを読み取り、読み取った動画像データに基づく再生信号を出力するとともに、出力している再生信号にかかる動画像データを他方のＤＶＤ１１（この発明で言う第２の記録媒体）に記録する編集を行う編集機能を有している。編集装置１は、本体の動作を制御する制御部２と、本体にセットされているＤＶＤ１０に記録されている動画像データを読み取る読取部３と、読取部３が読み取った動画像データをデコードするデコード部４と、デコード部４でデコードされた動画像データに基づく再生信号を生成する再生信号生成部５と、再生信号生成部５が生成した再生信号により再生されている動画像にかかる動画像データを本体にセットされている別のＤＶＤ１１に記録する記録部６と、を備えている。また、図１に示す７は、再生信号生成部５で生成された再生信号を外部に出力する出力端子である。この出力端子７には、テレビ受像機等の装置が接続される。８は、本体に対して入力操作を行う操作部である。
【００２３】
制御部２は、再生信号生成部５に対して、再生開始、再生停止、早送り再生開始、早送り再生停止、巻き戻し再生開始、巻き戻し再生停止等の指示を行う。読取部３は、周知のピックアップヘッド（不図示）を有し、ＤＶＤ１０にレーザ光を照射し、その反射光を検出することで、ＤＶＤ１０に記録されている動画像データを読み取る構成である。ＤＶＤ１０に記録されている動画像データは、ＭＰＥＧ方式等でエンコードされたデータである。また、制御部２は読取部３に対してＤＶＤ１０からの動画像データの読取開始、読取停止等の指示も行う。
【００２４】
デコード部４には、読取部３がＤＶＤ１０から読み取った動画像データ（デコード部４がデコードするエンコードされた動画像データ）を一時的に保持したり、動画像データをデコードするときにワーキングエリアとして使用するメモリ４ａが設けられている。制御部２は、このメモリ４ａの使用量を監視する。制御部２は、デコード部４におけるメモリ４ａの使用量に基づいて、再生中の動画像にかかる動画像データのエンコード率が予め定められた値よりも大きいかどうかを判定する。エンコード率が大きい動画像データ（低ビットレートの動画像データ）であるほど、デコード時におけるメモリ４ａの使用量が小さくなる。したがって、再生中の動画像についてメモリ４ａの使用量が予め定めた使用量よりも小さければ、この再生中の動画像は予め定められた値よりも大きいエンコード率でエンコードされていると判定できる。再生信号生成部５はデコード部４でデコードされた動画像データに基づく再生信号を生成し、この再生信号を出力端子７を介して外部に出力する。出力端子７に接続されたテレビ受像機等の装置で、出力端子７から出力された再生信号に基づく動画像の表示が行われる。
【００２５】
また、記録部６は、読取部３と同様にピックアップヘッドを有し、レーザ光をＤＶＤ１１に照射して動画像データを記録する。記録部６は、読取部３がＤＶＤ１０から読み取った動画像データを直接ＤＶＤ１１に記録する。具体的には、デコード部４でデコードされる前の動画像データをＤＶＤ１１に記録する。制御部２は、記録部６に対して動画像データの記録開始、記録停止、記録の一時停止、一時停止の解除等の指示も行う。
【００２６】
また、この実施形態の編集装置１には、予め定められた値よりも大きいエンコード率でエンコードされている動画像データの再生を、自動的に早送り再生とするスキップ機能が設けられている。再生信号生成部５は、フレームを間引いた再生信号を生成することで、早送り再生を行う。また、ユーザがこのスキップ機能を有効にするか、無効にするか自由に設定できる。具体的には、操作部８に設けられている特定のキー操作により、スキップ機能の有効／無効を切り替えることができる。さらに、この実施形態の編集装置１には、ＤＶＤ１０において予め定められた値よりも大きいエンコード率でエンコードされている動画像データについては、自動的にＤＶＤ１１への記録を禁止するカット機能が設けられている。このカット機能も、上記スキップ機能と同様に、ユーザが有効にするか、無効にするかを自由に設定できる。また、操作部８には図示していないリモコン装置から送信されてきた本体に対する制御信号を受信するリモコン受信部を有している。制御部２は、リモコン受信部で受信された制御信号に応じて本体の動作を制御する。スキップ機能やカット機能の有効／無効の切り替えは、リモコン装置の操作でも行える。
【００２７】
次に、この発明の実施形態である編集装置１の動作について説明する。図２は、この発明の実施形態である編集装置の動作を示すフローチャートである。編集装置１は、本体に対して何らかの入力があるのを待っている（ｓ１）。ｓ１では、操作部８に設けられているキーが操作されるか、リモコン受信部において装置本体に対する制御信号を受信するのを待っている。編集装置１は、本体対する入力があると、今回の入力がカット機能（ＣＭカット機能）の有効／無効の切り替えにかかる入力であれば、この時点でカット機能が有効／無効のどちらに設定されているかを判定する（ｓ２、ｓ３）。ｓ３でカット機能が有効に設定されていると判定すると、カット機能を無効に設定し（ｓ４）、反対にカット機能が無効に設定されていると判定すると、カット機能を有効に設定し（ｓ５）、ｓ１に戻る。また、今回の入力がスキップ機能の有効／無効の切り替えにかかる入力であれば、この時点でスキップ機能が有効／無効のどちらに設定されているかを判定する（ｓ６、ｓ７）。ｓ７で、スキップ機能が有効に設定されていると判定すると、スキップ機能を無効に設定し（ｓ８）、ｓ１に戻る。反対に、ｓ７でスキップ機能が無効に設定されていると判定すると、スキップ機能を有効に設定し（ｓ９）、ｓ１に戻る。また、今回の入力が編集動作の開始であれば、後述する編集動作を開始し（ｓ１０、ｓ１１）、ｓ１に戻る。また、今回の入力が編集動作の停止であれば、ｓ１１で開始した実行中の編集操作を停止し（ｓ１２、ｓ１３）、ｓ１に戻る。さらに、今回の入力が上記以外の入力であれば、その入力に応じた処理（その他の処理）を行う（ｓ１４）。ｓ１４で行う、その他の処理は、例えば本体にセットされているＤＶＤ１０の排出処理、再生動作の開始、停止、本体の電源オン／オフ処理である。
【００２８】
ここで、ｓ１１で開始する編集動作について説明する。この編集動作は、図２に示す動作と並行して実行される。図３は、この発明の実施形態の編集装置における編集動作を示すフローチャートである。制御部２は、読取部３に対して本体にセットされているＤＶＤ１０に記録されている動画像データの読み取りの開始を指示する（ｓ２１）。この指示により、読取部３がＤＶＤ１０に記録されている動画像データの読取を開始する。また、制御部２はデコード部４に対して読取部３がＤＶＤ１０から読み取った動画像データのデコードの開始を指示する（ｓ２２）。この指示により、デコード部４が動画像データのデコードを開始する。読取部３がＤＶＤ１０から読み取った動画像データはメモリ４ａに一時的に保持される。デコード部４は、メモリ４ａに保持している動画像データをデコードする。このとき、デコード部４はメモリ４ａをワーキングエリアとして使用する。また、制御部２は再生信号生成部５に対してデコード部４でデコードされた動画像データに基づく再生信号の生成開始を指示する（ｓ２３）。この指示により、再生信号生成部５はデコード部４でデコードされた動画像データに基づく再生信号の生成を開始する。再生信号生成部５で生成された再生信号は出力端子７を介して、この出力端子７に接続されているテレビ受像機等の装置に入力される。出力端子７に接続されている装置において、再生信号生成部５が生成した再生信号に基づく動画像、すなわちＤＶＤ１０に記録されている動画像データに基づく動画像、が表示される。
【００２９】
さらに、制御部２は、記録部６に対して再生信号生成部５で生成された再生信号により再生している再生中の動画像にかかる動画像データのＤＶＤ１１への記録開始を指示する（ｓ２４）。この指示により、記録部６は、再生中の動画像にかかる動画像データのＤＶＤ１１への記録を開始する。記録部６は、読取部３がＤＶＤ１０から読み取り、デコード部４のメモリ４ａに一時的に保持した再生中の動画像にかかる動画像データをＤＶＤ１１に記録する。言い換えれば、ＤＶＤ１０に記録されている動画像データをＤＶＤ１１に直接記録する。
【００３０】
また、制御部２は、メモリ４ａの使用量の監視を開始する（ｓ２５）。制御部２は、カット機能が有効に設定されているかどうかを判定し（ｓ２６）、有効に設定されていれば再生中の動画像についてメモリ４ａの使用量が予め定めた使用量よりも小さいことを検知するか、またはＤＶＤ１０に記録されている動画像データの編集が完了するのを待つ（ｓ２７、ｓ２８）。反対に、ｓ２６でカット機能が有効に設定されていない（無効に設定されている）と判定すると、ｓ２７でＤＶＤ１０に記録されている動画像データの編集が完了するのを待つ（ｓ２７の判定を行わない。）。
【００３１】
制御部２は、ｓ２７で再生中の動画像についてメモリ４ａの使用量が予め定めた使用量よりも小さいと判定すると、すなわち再生中の動画像にかかる動画像データのエンコード率が予め定められた値よりも大きいと判定すると、記録部６に対して再生中の動画像データのＤＶＤ１１への記録の一時停止を指示する（ｓ２９）。記録部６は、この指示にしたがって再生中の動画像にかかる動画像データのＤＶＤ１１への記録を一時停止する。また、制御部２は、スキップ機能が有効に設定されているかどうかを判定し（ｓ３０）、有効に設定されていれば、再生画像生成部５に対して早送り再生の開始を指示する（ｓ３１）。再生信号生成部５は、この制御部２からの指示により、これまで実行していた通常再生をやめて、早送り再生を開始する。これにより、出力端子７に接続されている装置において早送り再生されている動画像が表示される。制御部２は、スキップ機能が無効に設定されていると、ｓ３１にかかる指示を行わず、再生信号生成部５では通常再生が継続される。
【００３２】
なお、ｓ２７で再生中の動画像についてメモリ４ａの使用量が予め定めた使用量よりも小さいかどうかの判定が行われるのは、上述したようにカット機能が有効に設定されている場合であり、カット機能が無効に設定されている場合にはｓ２７にかかる判定が行われることはない。
【００３３】
制御部２は、早送り再生、または通常再生している動画像についてメモリ４ａの使用量が予め定めた使用量よりも大きくなるか、またはＤＶＤ１０に記録されている動画像データの編集が完了するのを待つ（ｓ３２、ｓ３３）。制御部２は、ｓ３２で早送り再生、または通常再生している動画像についてメモリ４ａの使用量が予め定めた使用量よりも大きくなったと判定すると、すなわち再生中の動画像にかかる動画像データのエンコード率が予め定められた値よりも小さいと判定すると、記録部６に対してｓ２９で指示したＤＶＤ１１への動画像データの記録の一時停止を解除する指示を行う（ｓ３４）。また、制御部２は、早送り再生中であれば、再生信号生成部５に対して早送り再生から通常再生に戻すことを指示し（ｓ３５、ｓ３６）、ｓ２６に戻る。記録部６は、ｓ３４の指示により、再生中の動画像にかかる動画像データのＤＶＤ１１への記録を再開する。また、再生信号生成部５は、早送り再生を行っていた場合には、ｓ３６の指示により早送り再生をやめて、通常再生を開始する。
【００３４】
また、制御部２は、ｓ２８、またはｓ３３でＤＶＤ１０に記録されている動画像データ
をＤＶＤ１１に記録する編集が完了したと判定すると、ＤＶＤ１０に記録されている動画像データの再生にかかる各部の再生動作を停止するとともに、記録部６におけるＤＶＤ１１への動画像データの記録動作を停止し（ｓ３７、ｓ３８）、本処理を終了する。
【００３５】
なお、編集装置１は、ＤＶＤ１０に記録されている動画像データをＤＶＤ１１に記録する編集動作が完了していないときであっても、操作部８において編集動作の停止にかかる入力が行われた場合には、ＤＶＤ１０に記録されている動画像データの再生にかかる各部の動作を停止するとともに、記録部６におけるＤＶＤ１１への動画像データの記録動作を停止し、今回の編集動作を終了する。
【００３６】
このように、この実施形態の編集装置１は、カット機能が有効に設定されていれば、ＤＶＤ１０に記録されているエンコード率が予め定められた値よりも大きい動画像データについては自動的にＤＶＤ１１への記録を禁止し（ＤＶＤ１１への動画像データの記録を一時停止し）、エンコード率が予め定められた値よりも小さい動画像データについてはＤＶＤ１１に記録する。ＤＶＤ１０に記録する動画像データのエンコード率を切り替えることができる記録装置を使用するユーザの多くは、ＤＶＤ１０にテレビ放送の番組を記録する場合、ＤＶＤ１０の記録容量を効率的に利用するために、番組本編については再生画像における画質の低下を抑えるために比較的小さいエンコード率で記録するが、番組本編の間で放送されるコマーシャルや番組本編の解説等のユーザにとって不必要な部分については画質の低下よりも記録容量を抑えるためにエンコード率を大きくしている。このように、ユーザにとって不必要な部分に対するエンコード率を番組本編よりも大きくして記録したＤＶＤ１０であれば、この実施形態の編集装置１で編集するときに、カット機能を有効に設定しておくだけで、自動的にＤＶＤ１１にユーザにとって不必要な部分をカットし、番組本編の動画像データのみ記録することができる。したがって、ユーザにとって不必要な部分をカットする編集が簡単に行え、ユーザの操作性の向上が図れる。
【００３７】
具体的には、図４（Ａ）に示すようにＤＶＤ１０の記録領域Ａ、Ｃ、Ｅ、Ｇに記録されている動画像が比較的小さいエンコード率（予め定めたレベルよりも小さいエンコード率）で記録されている番組本編にかかる動画像であり、記録領域Ｂ、Ｄ、Ｆに記録されている動画像が比較的大きいエンコード率（予め定めたレベルよりも大きいエンコード率）で記録されているユーザにとって不必要な部分にかかる動画像である場合、カット機能を有効にして編集動作を実行すると、ＤＶＤ１１には図４（Ｂ）に示すように、ＤＶＤ１０の記録領域Ａ、Ｃ、Ｅ、Ｇに記録されている番組本編の動画像データのみが記録され記録領域Ｂ、Ｄ、Ｆに記録されている、ユーザにとって不必要な部分にかかる動画像データについては記録されない。また、ユーザはＤＶＤ１０に記録した動画像データを少なくとも一度は視聴するので、この視聴時に編集を行い、コユーザにとって不必要な部分をカットすればよい。
【００３８】
また、上記編集動作において、ＤＶＤ１１に記録しない動画像データ、すなわちユーザにとって不必要な部分の動画像データ、については、スキップ機能が有効に設定されていると早送り再生されるので、編集時におけるこの部分の再生時間を短縮でき、その結果、編集動作にかかる時間の短縮が図れる。を
また、ユーザがカット機能の有効／無効を自由に設定することができるので、カット機能を無効に設定することで、予め定められたエンコード率よりも大きい動画像データで記録したＤＶＤ１０であっても、ＤＶＤ１１への編集が行える。
【００３９】
さらに、ＤＶＤ１１へは、読取部３がＤＶＤ１０から読み取った動画像データを直接記録する構成であるので、この編集動作でＤＶＤ１１に記録される動画像データによる再生画像は、ＤＶＤ１０似記録されている動画像データによる再生画像と同じ画質である。すなわち、編集動作により画質の低下が生じることもない。
【００４０】
なお、上記実施形態では、ＤＶＤ１０に記録されている動画像データを、別のＤＶＤ１１に記録する編集装置を例にして説明したが、この発明はＤＶＤ間における映像の編集に限定されるものではなく、ハードディスクからＤＶＤや、ＤＶＤからハードディスク、ハードディスク間等記録媒体間で動画像データの編集が行える装置であれば、どのような装置にも適用できる。また、編集する元の動画像データを記録する記録媒体は、記録している動画像データを別の記録媒体に記録すると、編集元の記録媒体に記録されている動画データがユーザにとって不要になる可能性が高いことから、書き換え可能なものを使用するのが好ましい。
【図面の簡単な説明】
【００４１】
【図１】この発明の実施形態である編集装置の主要部の構成を示す図である。
【図２】この発明の実施形態である編集装置の動作を示すフローチャートである。
【図３】この発明の実施形態である編集装置における編集動作を示すフローチャートである。
【図４】この発明の実施形態である編集装置における編集動作で一方のＤＶＤから他方のＤＶＤに記録される動画像データを説明する図である。
【符号の説明】
【００４２】
１−編集装置
２−制御部
３−読取部
４−デコード部
４ａ−メモリ
５−再生信号生成部
６−記録部
７−出力端子
８−操作部
１０、１１−ＤＶＤ
【図１】
2006135536.tif 000003
【図２】
2006135536.tif 000004
【図３】
2006135536.tif 000005
【図４】
2006135536.tif 000006